(57)【要約】【課題】周壁を薄くして、第１ケースと第２ケースを外れないように確実に連結する。【解決手段】電子機器のケース１は、下プレート２と第１ないし第３の周壁４からなる第１ケース１Ａと、上プレート３と第４の周壁４Ｄと折曲片５からなる第２ケース１Ｂを係止構造で連結している。第１ケース１Ａは、周壁４の上縁と側縁に沿って、嵌着凹部６を設けている。第２ケース１Ｂは、上プレート３の外周に沿って、第１ケース１Ａの周壁４の内面に配置される係止片７を設けている。第１ケース１Ａは、係止片７を係止する係止凸部８を設けている。折曲片５は係止穴１０を有し、下プレート２は、係止穴１０に挿入される挿入凸部１１を設けている。ケース１は、第２ケース１Ｂの外周縁を、第１ケース１Ａの嵌着凹部６に嵌着し、係止片７を係止凸部８に係止し、係止穴１０に挿入凸部１１を挿入して、第２ケース１Ｂで第１ケース１Ａの開口部を閉塞するように連結している。【選択図】図２
2008112660.tif 000002
【特許請求の範囲】
【請求項１】
ケース(1)の内部に電子部品を収納する電子機器であって、ケース(1)は、上プレート(3)及び下プレート(2)を、周囲に設けている第１ないし第４の周壁(4)で連結しており、プラスチックでもって第１ケース(1A)と第２ケース(1B)に別々に成形され、第１ケース(1A)と第２ケース(1B)を係止構造で連結してなる電子機器において、
第１ケース(1A)は、下プレート(2)と第１ないし第３の周壁(4)をプラスチックで一体的に成形してなる形状で、第２ケース(1B)は、上プレート(3)と第４の周壁(4D)とをプラスチックで一体的に成形すると共に、第４の周壁(4D)の先端縁には、下プレート(2)の内面に配置させる折曲片(5)を一体的に成形しており、
さらに、第１ケース(1A)は、周壁(4)の上縁に沿って、第２ケース(1B)の外周を嵌着する嵌着凹部(6)を設けており、さらに、第１ケース(1A)は、第２ケース(1B)である第４の周壁(4D)の両側に位置する第１の周壁(4A)と第３の周壁(4C)の側縁には、第４の周壁(4D)の両側を嵌着する嵌着凹部(6)を設けており、
さらにまた、第２ケース(1B)は、上プレート(3)の外周に沿ってその下面に突出し、かつ第１ケース(1A)の周壁(4)の内面に配置される位置に係止片(7)を一体的に成形して設けて、第１ケース(1A)は、第２ケース(1B)の係止片(7)を係止する係止凸部(8)を周壁(4)の内面であってその上縁部に設けており、
また、第２ケース(1B)の折曲片(5)は、これを貫通する係止穴(10)を有し、第１ケース(1A)の下プレート(2)には、この係止穴(10)に挿入される位置に挿入凸部(11)を設けており、
第２ケース(1B)の外周縁が、第１ケース(1A)に設けている嵌着凹部(6)に嵌着され、かつ係止片(7)が係止凸部(8)に係止され、さらに、係止穴(10)に挿入凸部(11)が挿入されて、第２ケース(1B)が第１ケース(1A)の開口部を閉塞するように連結されてなる電子機器。
【請求項２】
電子機器が、ケース(1)に充電できる電池(20)と回路基板(30)とを内蔵するパック電池で、回路基板(30)を第２ケース(1B)の第４の周壁(4D)の内側に配設している請求項１に記載される電気機器。
【請求項３】
挿入凸部(11)がフック状で、係止穴(10)に挿入されて折曲片(5)に係止される請求項１に記載される電気機器。
【発明の詳細な説明】
【技術分野】
【０００１】
本発明は、プラスチックケースに電子部品を収納している電子機器に関し、とくにパック電池に最適な構造の電子機器に関する。
【背景技術】
【０００２】
プラスチックケースに電子部品を収納する電子機器は、第１ケースと第２ケースのふたつのケースにプラスチックで別々に成形し、電子部品を収納した後、第１ケースと第２ケースを連結して組み立てられる。第１ケースは、四角形の上プレートの周囲に周壁を一体的に成形している。第２ケースは四角形の下プレートの周囲に周壁を一体的に成形している。この形状に成形された第１ケースと第２ケースは、周壁の先端で連結して組み立てられる。第１ケースと第２ケースの周壁を先端縁に沿ってしっかりと連結する構造は開発されている。（特許文献１参照）
【０００３】
特許文献１のケース９１は、図１の断面図に示すように、第１ケース９１Ａの周壁９４には、開口縁に沿って連結溝９５を設けている。第２ケース９１Ｂの周壁９４は、連結溝９５に入れて連結される凸条９６を開口縁に沿って設けている。連結溝９５に凸条９６を入れて連結される。さらに、この連結構造は、凸条９６に係止凸部９７を設けて、この係止凸部９７を連結溝９５に設けている係止凹部９８に入れて、凸部９６を連結溝９５から抜けないように連結できる。この連結構造は、周壁９４の当接面を超音波溶着するなどの方法で連結することなく、凸部９６を連結溝９５に入れて簡単に連結できる。
【特許文献１】特開２００４−３１９３１４号公報
【発明の開示】
【発明が解決しようとする課題】
【０００４】
図１の連結構造は、第１ケースの周壁に連結溝を設けるので、この部分を薄くできず、ケースの外形が大きくなる欠点がある。周壁が厚くなる欠点は、連結溝を構成している二条の凸条の一方を除去して解消できる。ただ、連結溝の凸条の一方を除去する形状は、連結される周壁の横ずれを阻止することができず、しっかりと外れないように連結できなくなる欠点がある。
【０００５】
本発明は、このような欠点を解決することを目的に開発されたものである。本発明の重要な目的は、周壁を薄くして、第１ケースと第２ケースを外れないようにしっかりと確実に連結できるケースを備える電子機器を提供することにある。
【課題を解決するための手段】
【０００６】
本発明の電子機器は、前述の目的を達成するために以下の構成を備える。
電子機器は、ケース１の内部に電子部品を収納している。ケース１は、上プレート３及び下プレート２を、周囲に設けている第１ないし第４の周壁４で連結しており、プラスチックでもって第１ケース１Ａと第２ケース１Ｂに別々に成形され、第１ケース１Ａと第２ケース１Ｂを係止構造で連結している。第１ケース１Ａは、下プレート２と第１ないし第３の周壁４をプラスチックで一体的に成形してなる形状である。第２ケース１Ｂは、上プレート３と第４の周壁４Ｄとをプラスチックで一体的に成形すると共に、第４の周壁４Ｄの先端縁には、下プレート２の内面に配置させる折曲片５を一体的に成形している。さらに、第１ケース１Ａは、周壁４の上縁に沿って、第２ケース１Ｂの外周を嵌着する嵌着凹部６を設けている。さらに、第１ケース１Ａは、第２ケース１Ｂである第４の周壁４Ｄの両側に位置する第１の周壁４Ａと第３の周壁４Ｃの側縁には、第４の周壁４Ｄの両側を嵌着する嵌着凹部６を設けている。さらにまた、第２ケース１Ｂは、上プレート３の外周に沿ってその下面に突出し、かつ第１ケース１Ａの周壁４の内面に配置される位置に係止片７を一体的に成形して設けている。第１ケース１Ａは、第２ケース１Ｂの係止片７を係止する係止凸部８を周壁４の内面であってその上縁部に設けている。また、第２ケース１Ｂの折曲片５は、これを貫通する係止穴１０を有する。第１ケース１Ａの下プレート２は、この係止穴１０に挿入される位置に挿入凸部１１を設けている。ケース１は、第２ケース１Ｂの外周縁が、第１ケース１Ａに設けている嵌着凹部６に嵌着され、かつ係止片７が係止凸部８に係止され、さらに、係止穴１０に挿入凸部１１が挿入されて、第２ケース１Ｂが第１ケース１Ａの開口部を閉塞するように連結している。
【０００７】
本発明の電子機器は、ケース１に充電できる電池２０と回路基板３０とを内蔵するパック電池として、回路基板３０を第２ケース１Ｂの第４の周壁４Ｄの内側に配設することができる。
【０００８】
本発明の電気機器は、挿入凸部１１をフック状として、係止穴１０に挿入して折曲片５に係止することができる。
【発明の効果】
【０００９】
本発明の電子機器は、ケースを構成する第１ケースと第２ケースとを簡単かつ容易に連結し、しかも周壁を薄くして外形を小さくしながら、第１ケースと第２ケースをしっかりと外れないように確実に連結できる特徴がある。それは、本発明の電子機器のケースが、第１ケースの形状を、下プレートと第１ないし第３の周壁をプラスチックで一体的に成形してなる形状とし、第２ケースの形状を、上プレートと第４の周壁とをプラスチックで一体的に成形して、第４の周壁の先端縁には、下プレートの内面に配置させる折曲片を一体的に成形する形状とし、さらに、第１ケースは、周壁の上縁と、第１の周壁と第３の周壁の側縁に、第２ケースの両側を嵌着する嵌着凹部を設けて、第２ケースの外周縁を嵌着凹部に嵌着して連結し、また、この状態で第２ケースに連結される第２ケースは、上プレートの外周に沿って係止片を設けて、第１ケースには、この係止片を係止する係止凸部を周壁の内面であってその上縁に設けており、さらにまた、第２ケースの折曲片は、これを貫通する係止穴を設け、第１ケースの下プレートには、この係止穴に挿入される位置に挿入凸部を設けており、係止片を係止凸部に係止し、さらに、係止穴に挿入凸部が挿入して、第２ケースで第１ケースの開口部を閉塞するように連結しているからである。とくに、第２ケースは、上プレートと第４の周壁をプラスチックで一体的に成形していることから、上プレートと第４の周壁は互いに折曲強度を補強するリブとなる。このため、上プレートと第４の周壁を薄くしながら曲げ強度を高くできる。曲げ強度の強い上プレートと第４の周壁は、第１ケースの嵌着凹部に嵌着され、しかも係止片を係止凸部に連結する状態でしっかりと外れない状態で連結される。また、本発明の電子機器のケースは、図２において矢印で示す方向に第２ケースを第１ケースの開口部にセットして、係止片を係止凸部に連結し、また係止穴を挿入凸部に連結できる。このため、係止片を係止凸部に連結し、また、係止穴に挿入凸部を連結する動作を一緒にして、第１ケースと第２ケースを簡単に能率よく連結できる特徴も実現する。
【００１０】
さらに、本発明の電子機器のケースは、第１ケースの周壁の上縁に設けた嵌着凹部に、第２ケースの上プレートの外周縁を嵌着して連結するので、ケースの上下方向の寸法を、第１ケースの上下方向の寸法に等しくできる。このため、このケースは、第１ケースのみで全体の寸法精度をだすので、従来のように、上下のケースを周壁の開口縁で連結する構造に比べて、高い寸法精度で成形できる特長がある。
【発明を実施するための最良の形態】
【００１１】
以下、本発明の実施例を図面に基づいて説明する。ただし、以下に示す実施例は、本発明の技術思想を具体化するための電子機器を例示するものであって、本発明は電子機器を以下のものに特定しない。
【００１２】
さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００１３】
図２ないし図４に示す電子機器は、パック電池で、ケース１の内部に電子部品である電池２０と回路基板３０とを収納している。ただし、本発明の電子機器をパック電池に特定するものではなく、電子機器にはたとえば、充電器や携帯電話等の携帯機器とすることもできる。
【００１４】
図２のケース１は、四角形の上プレート３及び下プレート２を、周囲に設けている第１ないし第４の周壁４で連結して中空の直方体としている。ケース１は、プラスチックでもって第１ケース１Ａと第２ケース１Ｂを別々に成形して、第１ケース１Ａと第２ケース１Ｂを係止構造で連結している。
【００１５】
第１ケース１Ａは、四角形である下プレート２の３つの周囲に、第１の周壁４Ａ、第２の周壁４Ｂ及び第３の周壁４Ｃを連結する形状にプラスチックを成形している。下プレート２と周壁４は一体的に成形している。第１ケース１Ａの下プレート２と周壁４は、たとえば厚さを０．８ｍｍ〜１．５ｍｍとする板状に成形している。第２ケース１Ｂは、第１ケース１Ａの開口部を閉塞するように、上プレート３と第４の周壁４Ｄとをプラスチックで一体的に成形している。第２ケース１Ｂの上プレート３と周壁４も、たとえば厚さを０．８ｍｍ〜１．５ｍｍとする板状に成形している。さらに、第２ケース１Ｂは、第４の周壁４Ｄの先端縁に、第１ケース１Ａに設けている下プレート２の内面に配置させる折曲片５を一体的に成形して設けている。折曲片５は、周壁４よりも薄く、たとえば、０．５ｍｍ〜１ｍｍに成形することができる。折曲片５の幅は、係止穴１０を設けることができる幅であって、たとえば、３ｍｍ〜１０ｍｍに成形される。
【００１６】
さらに、ケース１は、第１ケース１Ａと第２ケース１Ｂとを定位置に連結して、第２ケース１Ｂで第１ケース１Ａの開口部を閉塞するように、第１ケース１Ａは、第１の周壁４Ａ、第２の周壁４Ｂ及び第３の周壁４Ｃの上縁に沿って、第２ケース１Ｂの外周を嵌着する嵌着凹部６を設けている。また、第１ケース１Ａは、第２ケース１Ｂに設けている第４の周壁４Ｄの両側に位置する第１の周壁４Ａと第３の周壁４Ｃの側縁にも、第４の周壁４Ｄの両側を嵌着する嵌着凹部６を設けている。周壁４の上縁に設けている嵌着凹部６は、その深さを上プレート３の厚さに等しくして、図３と図４に示すように、ここに上プレート３を嵌着する状態で、上プレート３と周壁４の上面を同一面としている。この構造のケース１は、ケース全体の上下方向の寸法が、第１ケース１Ａの上下方向の寸法に等しくなる。したがって、このケース１は、第１ケース１Ａのみでケース全体の寸法精度をだすので、従来のように上下のケースを周壁の開口縁で連結する構造に比べて、高い寸法精度で成形できる特長がある。
【００１７】
また、第１の周壁４Ａと第３の周壁４Ｃの側縁に設けている嵌着凹部６の深さは、第２ケース１Ｂの第４の周壁４Ｄと同じ厚さとして、この嵌着凹部６に第４の周壁４Ｄを嵌着する状態で、第４の周壁４Ｄの表面と第１及び第３の周壁４Ｃの側縁とを同一面としている。さらに、嵌着凹部６の幅は、周壁４の幅の１／３〜１／２としている。
【００１８】
さらに、ケース１は、第２ケース１Ｂの上プレート３と第４の周壁４Ｄは、その外周縁を嵌着凹部６に嵌着して、第１ケース１Ａの開口部を閉塞する形状に成形される。したがって、上プレート３と第４の周壁４Ｄの幅は、図３において、第１の周壁４Ａと第３の周壁４Ｃの嵌着凹部６の外幅（Ｗ）に等しくしている。さらに、第２ケース１Ｂは、上プレート３と第４の周壁４Ｄの外側面が、第１の周壁４Ａ及び第３の周壁４Ｃの上縁と側縁と同一面となる形状に成形している。
【００１９】
さらにまた、ケース１は、第１ケース１Ａと第２ケース１Ｂを、連結した後は抜けない係止構造で連結する。この構造を実現するために、第２ケース１Ｂには係止片７を設け、第１ケース１Ａには、この係止片７を係止する係止凸部８を設けている。第２ケース１Ｂの係止片７は、上プレート３の外周に沿ってその下面に突出し、かつ第１ケース１Ａの周壁４の内面に配置される位置に一体的に成形して設けられる。係止凸部８は、第２ケース１Ｂの係止片７を係止する位置であって、第１の周壁４Ａ、第２の周壁４Ｂ及び第３の周壁４Ｃの内面であってその上縁部に設けている。係止片７は、係止凸部８を挿入する貫通孔９を設けている。係止凸部８は、係止片７の貫通孔９に挿入される形状に成形している。さらに、係止凸部８は、係止片７の貫通孔９にスムーズに挿入できるように、先端面を傾斜面８Ａとしている。傾斜面８Ａは、係止片７が挿入されるのと逆方向に向かって下り勾配に傾斜する。係止片７は、この傾斜面８Ａを摺動するように移動されて、貫通孔９に係止凸部８を案内する。貫通孔９に係止凸部８を入れる状態で、係止片７は係止凸部８に係止される状態となって、第２ケース１Ｂは第１ケース１Ａに外れない状態で連結される。
【００２０】
さらに、第２ケース１Ｂは、図４に示すように、第４の周壁４Ｄをしっかりと連結するために、折曲片５には、これを貫通して係止穴１０を設けている。この係止穴１０に挿入される挿入凸部１１を、第１ケース１Ａの下プレート２に設けている。挿入凸部１１は、第２ケース１Ｂを第１ケース１Ａに連結する状態で、折曲片５の係止穴１０に挿入される位置に設けられる。図の挿入凸部１１は、先端を鈎型として全体をフック状に成形している。この挿入凸部１１は、係止穴１０に挿入されて、先端の鈎部１１Ａを折曲片５に係止する。したがって、この構造は、折曲片５をよりしっかりと外れないように、下プレート２に連結できる。
【００２１】
以上のケース１は、図２の矢印で示すように、第２ケース１Ｂを第１ケース１Ａにセットして、第２ケース１Ｂの外周縁を、第１ケース１Ａに設けている嵌着凹部６に嵌着する。このとき、第２ケース１Ｂの係止片７は第１ケース１Ａの係止凸部８に係止される。また、第２ケース１Ｂの折曲片５に設けている係止穴１０には、第１ケース１Ａの下プレート２に設けている挿入凸部１１が挿入される。以上の形状の第２ケース１Ｂは、第１ケース１Ａの嵌着凹部６に嵌着され、さらに係止片７を係止凸部８に係止し、さらにまた、係止穴１０に挿入凸部１１を入れて、第１ケース１Ａの定位置に、抜けないようにしっかりと連結される。
【００２２】
図の電子機器はパック電池であるから、ケース１に電池２０と回路基板３０を収納している。パック電池は、電池２０と回路基板３０とを連結している電池のコアパックを第１ケース１Ａの定位置にセットし、この状態で回路基板３０の検査などをした後、第１ケース１Ａに第２ケース１Ｂを連結して、ケース１を閉塞する。電池のコアパックは、第１ケース１Ａにセットされる状態で、回路基板３０の検査を能率よくするために、回路基板３０を第４の周壁４Ｄの内側に配設している。ここに配置される回路基板３０は、第２ケース１Ｂを連結しない状態で、開放された位置にあって、能率よく検査できる。ただ、回路基板は、第４の周壁以外の周壁の内側に配設することもできる。
【００２３】
さらに、図２と図４に示すパック電池は、外部機器に連結するコネクタ３１を回路基板３０に固定している。コネクタ１５は、パック電池の出力端子（図示せず）を表出して設けている。第２ケース１Ｂは、第４の周壁４Ｄに、このコネクタ３１を外部に表出させる開口窓１２を設けている。第４の周壁４Ｄの開口窓１２は、回路基板３０に固定したコネクタ３１に対向する位置に開口している。このパック電池は、図２の矢印で示すように、第２ケース１Ｂを第１ケース１Ａにセットする状態で、回路基板３０に固定したコネクタ３１を第４の周壁４Ｄに設けた開口窓１２から外部に表出させる。
【００２４】
ただ、電子機器のケースは、必ずしも図２の矢印で示す方向に第２ケース１Ｂを移動させて、第１ケース１Ａに連結する必要はない。ケースは、たとえば、第２ケースの折曲片の係止穴に挿入凸部を挿入して、まず、第２ケースの折曲片を下プレートに連結し、その後、この連結部分を支点とする状態で、第２ケースを回動しながら、第２ケースの外周縁を第１ケースの嵌着凹部に嵌合させると共に、係止片を係止凸部に係止させて第２ケースを第１ケースに連結することもできる。この連結構造では、第４の周壁の下端である折曲片と挿入凸部との連結部分を支点として、第４の周壁を傾動させながら第１ケースに連結するので、コネクタの開口縁部を開口窓に挿入できる形状として、コネクタを開口窓に案内して外部に表出できる。この連結構造は、コネクタと第４の周壁とのクリアランスを少なくしながら、コネクタを所定の位置に配置できる。
【００２５】
さらに、図示しないが、パック電池である電子機器は、出力端子を第４の周壁以外の周壁や下プレート、あるいは上プレートに設けることもできる。たとえば、出力端子を下プレートに設けるパック電池は、出力端子を備える端子ホルダーを、電池の谷間であって、下プレーの内面に配設することができる。この構造は、下プレートに開口窓を開口して、この開口部から端子ホルダーに設けた出力端子をケースの外部に表出させる。
【図面の簡単な説明】
【００２６】
【図１】従来の電子機器のケースの拡大断面図である。
【図２】本発明の一実施例にかかる電子機器であるパック電池の分解斜視図である。
【図３】図２に示す電子機器の横断面図である
【図４】図２に示す電子機器の縦断面図である
【符号の説明】
【００２７】
１…ケース                １Ａ…第１ケース
１Ｂ…第２ケース
２…下プレート
３…上プレート
４…周壁                  ４Ａ…第１の周壁
４Ｂ…第２の周壁
４Ｃ…第３の周壁
４Ｄ…第４の周壁
５…折曲片
６…嵌着凹部
７…係止片
８…係止凸部              ８Ａ…傾斜面
９…貫通孔
１０…係止穴
１１…挿入凸部            １１Ａ…鈎部
１２…開口窓
２０…電池
３０…回路基板
３１…コネクタ
９１…ケース              ９１Ａ…第１ケース
９１Ｂ…第２ケース
９４…周壁
９５…連結溝
９６…凸条
９７…係止凸部
９８…係止凹部
【図１】
2008112660.tif 000003
【図２】
2008112660.tif 000004
【図３】
2008112660.tif 000005
【図４】
2008112660.tif 000006